(57)【要約】【課題】  構成が簡単で作動が確実な電圧判定方法と電圧判定部品と電力遮断方法と電力遮断装置とを提供しようとする。【解決手段】  従来の電圧が所定の値を越えていることを判定する電圧判定方法にかわって、ツェナー電圧が所定の値に略等しいダイオードを準備するダイオード準備工程と、前記ダイオードから発生する熱を受けて常温状態から高温状態に状態変化することをできるバイメタルを準備するバイメタル準備工程と、前記バイメタルが常温状態から高温状態に状態変化するのに連動して通電状態から非通電状態になるＢ接点を準備するＢ接点準備工程と、前記ダイオードから発生する熱を受け所定の値以上の温度になると溶断する導電性素材を１対の端子に架橋した第一回路を準備する第一回路準備工程と、電圧を前記ダイオードに逆方向に印加する電圧印加工程と、を備えるものとした。【選択図】    図１
2006004682.tif 000002
【特許請求の範囲】
【請求項１】
電圧が所定の値を越えていることを判定する電圧判定方法であって、
ツェナー電圧が所定の値に略等しいダイオードを準備するダイオード準備工程と、
前記ダイオードから発生する熱を受けて常温状態から高温状態に状態変化することをできるバイメタルを準備するバイメタル準備工程と、
前記バイメタルが常温状態から高温状態に状態変化するのに連動して通電状態から非通電状態になるＢ接点を準備するＢ接点準備工程と、
前記ダイオードから発生する熱を受け所定の値以上の温度になると溶断する導電性素材を１対の端子に架橋した第一回路を準備する第一回路準備工程と、
電圧を前記ダイオードに逆方向に印加する電圧印加工程と、
を備えることを特徴とする電圧判定方法。
【請求項２】
電圧が所定の値を越えていることを判定する電圧判定方法であって、
ツェナー電圧が所定の値に略等しいダイオードを準備するダイオード準備工程と、
前記ダイオードから発生する熱を受けて常温状態から高温状態に状態変化することをできるバイメタルを準備するバイメタル準備工程と、
前記バイメタルが常温状態から高温状態に状態変化するのに連動して非通電状態から通電状態になるＡ接点を準備するＡ接点準備工程と、
前記Ａ接点が通電状態になると前記バイメタルの高温状態を保持する自己保持回路を準備する自己保持回路準備工程と、
電圧を前記ダイオードに逆方向に印加する電圧印加工程と、
を備えることを特徴とする電圧判定方法。
【請求項３】
電圧が所定の値を越えていることを判定する電圧判定方法であって、
ツェナー電圧が所定の値に略等しいダイオードを準備するダイオード準備工程と、
前記ダイオードから発生する熱を受けて常温状態から高温状態に状態変化することをできるバイメタルを準備するバイメタル準備工程と、
前記バイメタルが常温状態から高温状態に状態変化するのに連動して非通電状態から通電状態になるＡ接点を準備するＡ接点準備工程と、
電圧を印加されると発熱し前記バイメタルに熱を伝える発熱体を準備する発熱体準備工程と、
前記Ａ接点と前記発熱体とを直列接続した第二回路を準備する第二回路準備工程と、
電圧を前記第二回路に印加する第二回路電圧印加工程と、
電圧を前記ダイオードに逆方向に印加する電圧印加工程と、
を備えることを特徴とする電圧判定方法。
【請求項４】
電圧が所定の値を越えていることを判定する電圧判定部品であって、
ツェナー電圧が所定の値に略等しいダイオードと、
前記ダイオードから発生する熱を受けて常温状態から高温状態に状態変化することをできるバイメタルと、
前記バイメタルが常温状態から高温状態に状態変化するのに連動して通電状態から非通電状態になるＢ接点と、
前記ダイオードから発生する熱を受け所定の値以上の温度になると溶断する導電性素材を１対の端子に架橋した第一回路と、
前記Ｂ接点と前記第一回路とを直列接続する直列接続回路と、
を備え、
電圧を前記ダイオードに逆方向に印加することが可能である、
ことを特徴とする電圧判定部品。
【請求項５】
電圧が所定の値を越えていることを判定する電圧判定部品であって、
ツェナー電圧が所定の値に略等しいダイオードと、
前記ダイオードから発生する熱を受けて常温状態から高温状態に状態変化することをできるバイメタルと、
前記バイメタルが常温状態から高温状態に状態変化するのに連動して非通電状態から通電状態になるＡ接点と、
前記Ａ接点が通電状態になると前記バイメタルの高温状態を保持する自己保持回路と、
を備え、
電圧を前記ダイオードに逆方向に印加することが可能である、
ことを特徴とする電圧判定部品。
【請求項６】
電圧が所定の値を越えていることを判定する電圧判定部品であって、
ツェナー電圧が所定の値に略等しいダイオードと、
前記ダイオードから発生する熱を受けて常温状態から高温状態に状態変化することをできるバイメタルと、
前記バイメタルが常温状態から高温状態に状態変化するのに連動して非通電状態から通電状態になるＡ接点と、
電圧を印加されると発熱し前記バイメタルに熱を伝える発熱体と、
前記Ａ接点と前記発熱体とを直列接続した第二回路と、
を備え、
電圧を前記第二回路に印加することが可能であり、
電圧を前記ダイオードに逆方向に印加することが可能である、
ことを特徴とする電圧判定部品。
【請求項７】
電源から負荷へ供給する電力の電圧が所定の値を越えている時に電力の供給を遮断する電力遮断方法であって、
ツェナー電圧が所定の値に略等しいダイオードを準備するダイオード準備工程と、
前記ダイオードから発生する熱を受けて常温状態から高温状態に状態変化することをできるバイメタルを準備するバイメタル準備工程と、
前記バイメタルが常温状態から高温状態に状態変化するのに連動して通電状態から非通電状態になるＢ接点を準備するＢ接点準備工程と、
前記ダイオードから発生する熱を受け所定の値以上の温度になると溶断する導電性素材を１対の端子に架橋した第一回路を準備する第一回路準備工程と、
電源と負荷との間に前記Ｂ接点と前記第一回路とを直列接続する直列接続工程と、
電圧を前記ダイオードに逆方向に印加する電圧印加工程と、
を備えることを特徴とする電力遮断方法。
【請求項８】
電源から負荷へ供給する電力の電圧が所定の値を越えている時に電力の供給を遮断する電力遮断方法であって、
ツェナー電圧が所定の値に略等しいダイオードを準備するダイオード準備工程と、
前記ダイオードから発生する熱を受けて常温状態から高温状態に状態変化することをできるバイメタルを準備するバイメタル準備工程と、
前記バイメタルが常温状態から高温状態に状態変化するのに連動して通電状態から非通電状態になるＢ接点を準備するＢ接点準備工程と、
前記バイメタルが常温状態から高温状態に状態変化するのに連動して非通電状態から通電状態になるＡ接点を準備するＡ接点準備工程と、
前記Ａ接点が通電状態になると前記バイメタルの高温状態を保持する自己保持回路を準備する自己保持回路準備工程と、
電源と負荷との間に前記Ｂ接点を直列接続する直列接続工程と、
電圧を前記ダイオードに逆方向に印加する電圧印加工程と、
を備えることを特徴とする電力遮断方法。
【請求項９】
電源から負荷へ供給する電力の電圧が所定の値を越えている時に電力の供給を遮断する電力遮断方法であって、
ツェナー電圧が所定の値に略等しいダイオードを準備するダイオード準備工程と、
前記ダイオードから発生する熱を受けて常温状態から高温状態に状態変化することをできるバイメタルを準備するバイメタル準備工程と、
前記バイメタルが常温状態から高温状態に状態変化するのに連動して通電状態から非通電状態になるＢ接点を準備するＢ接点準備工程と、
前記バイメタルが常温状態から高温状態に状態変化するのに連動して非通電状態から通電状態になるＡ接点を準備するＡ接点準備工程と、
電圧を印加されると発熱し前記バイメタルに熱を伝える発熱体を準備する発熱体準備工程と、
前記Ａ接点と前記発熱体とを直列接続した第二回路を準備する第二回路準備工程と、
電源と負荷との間に前記Ｂ接点を直列接続する直列接続工程と、
電圧を前記第二回路に印加する第二回路電圧印加工程と、
電圧を前記ダイオードに逆方向に印加する電圧印加工程と、
を備えることを特徴とする電力遮断方法。
【請求項１０】
前記Ａ接点の接点電極と前記Ｂ接点の接点電極とが前記バイメタルに各々設けられ、
前記直列接続工程が前記バイメタルに直接に通電する、
ことを特徴とする請求項８乃至請求項９のうちのひとつに記載の電力遮断方法。
【請求項１１】
電源から負荷へ供給する電力の電圧が所定の値を越えている時に電力の供給を遮断する電力遮断装置であって、
ツェナー電圧が所定の値に略等しいダイオードと、
前記ダイオードから発生する熱を受けて常温状態から高温状態に状態変化することをできるバイメタルと、
前記バイメタルが常温状態から高温状態に状態変化するのに連動して通電状態から非通電状態になるＢ接点と、
前記ダイオードから発生する熱を受け所定の値以上の温度になると溶断する導電性素材を１対の端子に架橋した第一回路と、
電源と負荷との間に前記Ｂ接点と前記第一回路とを直列接続する直列接続回路と、
電圧を前記ダイオードに逆方向に印加する電圧印加回路と、
を備えることを特徴とする電力遮断装置。
【請求項１２】
電源から負荷へ供給する電力の電圧が所定の値を越えている時に電力の供給を遮断する電力遮断装置であって、
ツェナー電圧が所定の値に略等しいダイオードと、
前記ダイオードから発生する熱を受けて常温状態から高温状態に状態変化することをできるバイメタルと、
前記バイメタルが常温状態から高温状態に状態変化するのに連動して通電状態から非通電状態になるＢ接点と、
前記バイメタルが常温状態から高温状態に状態変化するのに連動して非通電状態から通電状態になるＡ接点と、
前記Ａ接点が通電状態になると前記バイメタルの高温状態を保持する自己保持回路と、
電源と負荷との間に前記Ｂ接点を直列接続する直列接続回路と、
電圧を前記ダイオードに逆方向に印加する電圧印加回路と、
を備えることを特徴とする電力遮断装置。
【請求項１３】
電源から負荷へ供給する電力の電圧が所定の値を越えている時に電力の供給を遮断する電力遮断装置であって、
ツェナー電圧が所定の値に略等しいダイオードと、
前記ダイオードから発生する熱を受けて常温状態から高温状態に状態変化することをできるバイメタルと、
前記バイメタルが常温状態から高温状態に状態変化するのに連動して通電状態から非通電状態になるＢ接点と、
前記バイメタルが常温状態から高温状態に状態変化するのに連動して非通電状態から通電状態になるＡ接点と、
電圧を印加されると発熱し前記バイメタルに熱を伝える発熱体と、
前記Ａ接点と前記発熱体とを直列接続した第二回路と、
電源と負荷との間に前記Ｂ接点を直列接続する直列接続回路と、
電圧を前記第二回路に印加する第二回路電圧印加回路と、
電圧を前記ダイオードに逆方向に印加する電圧印加回路と、
を備えることを特徴とする電力遮断装置。
【請求項１４】
前記Ａ接点の接点電極と前記Ｂ接点の接点電極とが前記バイメタルに各々設けられ、
前記直列接続回路が前記バイメタルに直接に通電する、
ことを特徴とする請求項１２または請求項１３のうちのひとつに記載の電力遮断装置。
【発明の詳細な説明】
【技術分野】
【０００１】
本発明は、電圧が所定の値を越えていることを判定する電圧判定方法と電圧判定部品と、電源から負荷へ供給する電力の電圧が所定の値を越えている時に電力の供給を遮断する電力遮断方法と電力遮断装置とに係る。特に、充電式電池の充電に好適な電力遮断方法と電力遮断装置とに関する。
【背景技術】
【０００２】
電圧が所定の値であることを判定する手段が種々の装置に求められる。
例えば、充電式電池に充電をする際に、過充電を防止するために、充電電圧が所定の値に達したら電力の供給を遮断する必要がある。
従来の過充電保護装置には、サーマルスイッチ形保護装置と電気制御回路型保護装置とがある。
サーマルスイッチ形保護装置は、バッテリ充電の満充電時の温度を感知して動作するサーマルスイッチを介して充電回路を閉じる。
サーマルスイッチ形保護装置は、満充電になる際の電池ケースの温度を検出値として設定し、電池ケースの温度が検出値になるのを見張っており、直接に電圧を検知していないために、温度検出の遅れや、電池の種類によっては満充電時間の温度と電圧との相関関係が低い事や、検出した温度が必ずしも所望の電圧に対応していない事のために、保護精度が十分でないという不具合がある。
電気制御回路型保護装置は、充電電圧を電圧センサーで検出し、所定の値に達したら充電を停止する。
電気制御回路型保護装置では、保護精度は高いが、構成部品の関係で高価になり、必ずしも経済的でない。
【０００３】
【特許文献１】特開２００１−１８６６７６号
【特許文献２】特開２００２−３３１３４号
【発明の開示】
【発明が解決しようとする課題】
【０００４】
本発明は以上に述べた問題点に鑑み案出されたもので、構成が簡単で作動が確実な電圧判定方法と電圧判定部品と電力遮断方法と電力遮断装置とを提供しようとする。
【課題を解決するための手段】
【０００５】
上記目的を達成するため、本発明に係る電圧が所定の値を越えていることを判定する電圧判定方法を、ツェナー電圧が所定の値に略等しいダイオードを準備するダイオード準備工程と、前記ダイオードから発生する熱を受けて常温状態から高温状態に状態変化することをできるバイメタルを準備するバイメタル準備工程と、前記バイメタルが常温状態から高温状態に状態変化するのに連動して通電状態から非通電状態になるＢ接点を準備するＢ接点準備工程と、前記ダイオードから発生する熱を受け所定の値以上の温度になると溶断する導電性素材を１対の端子に架橋した第一回路を準備する第一回路準備工程と、電圧を前記ダイオードに逆方向に印加する電圧印加工程と、を備えるものとした。
【０００６】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、第一回路が前記ダイオードから発生する熱を受け所定の値以上の温度になると溶断する導電性素材を１対の端子に架橋し、電圧を前記ダイオードに逆方向に印加すると、電圧が所定の値を越えているときに逆方向に電流が流れてダイオードが発熱し、バイメタルの状態変化に連動してＢ接点が非通電状態になり、またバイメタルの状態変化が起きなかったときにも第一回路が溶断し、簡易な構造で電圧が所定の値を越えていることを判定できる。
【０００７】
上記目的を達成するため、本発明に係る電圧が所定の値を越えていることを判定する電圧判定方法を、ツェナー電圧が所定の値に略等しいダイオードを準備するダイオード準備工程と、前記ダイオードから発生する熱を受けて常温状態から高温状態に状態変化することをできるバイメタルを準備するバイメタル準備工程と、前記バイメタルが常温状態から高温状態に状態変化するのに連動して非通電状態から通電状態になるＡ接点を準備するＡ接点準備工程と、前記Ａ接点が通電状態になると前記バイメタルの高温状態を保持する自己保持回路を準備する自己保持回路準備工程と、電圧を前記ダイオードに逆方向に印加する電圧印加工程と、を備えるものとした。
【０００８】
上記本発明の構成により、ダイオードのツェナー電圧が所定の値に略等しく、バイメタルが前記ダイオードから発生する熱を受けて常温状態から高温状態に状態変化することをでき、Ａ接点が前記バイメタルが常温状態から高温状態に状態変化するのに連動して非通電状態から通電状態になり、自己保持回路が前記Ａ接点が通電状態になると前記バイメタルの高温状態を保持するので、電圧を前記ダイオードに逆方向に印加すると、電圧が所定の値を越えているときに逆方向に電流が流れてダイオードが発熱し、バイメタルの状態変化に連動してＡ接点が通電状態になり、自己保持回路がバイメタルの高温状態を維持してＡ接点の通電状態を保持し、簡易な構造で電圧が所定の値を越えていることを判定できる。
【０００９】
上記目的を達成するため、本発明に係る電圧が所定の値を越えていることを判定する電圧判定方法を、ツェナー電圧が所定の値に略等しいダイオードを準備するダイオード準備工程と、前記ダイオードから発生する熱を受けて常温状態から高温状態に状態変化することをできるバイメタルを準備するバイメタル準備工程と、前記バイメタルが常温状態から高温状態に状態変化するのに連動して非通電状態から通電状態になるＡ接点を準備するＡ接点準備工程と、電圧を印加されると発熱し前記バイメタルに熱を伝える発熱体を準備する発熱体準備工程と、前記Ａ接点と前記発熱体とを直列接続した第二回路を準備する第二回路準備工程と、電圧を前記第二回路に印加する第二回路電圧印加工程と、電圧を前記ダイオードに逆方向に印加する電圧印加工程と、を備えるものとした。
【００１０】
上記本発明の構成により、ダイオードのツェナー電圧が所定の値に略等しく、バイメタルが前記ダイオードから発生する熱を受けて常温状態から高温状態に状態変化することをでき、Ａ接点が前記バイメタルが常温状態から高温状態に状態変化するのに連動して非通電状態から通電状態になり、発熱体が電圧を印加されると発熱し前記バイメタルに熱を伝え、前記Ａ接点と前記発熱体を直列接続した第二回路に電圧を印加するので、電圧を前記ダイオードに逆方向に印加すると、電圧が所定の値を越えているときに逆方向に電流が流れてダイオードが発熱し、バイメタルの状態変化に連動してＡ接点が通電状態になり、前記発熱体が発熱してバイメタルの高温状態を維持してＡ接点の通電状態を保持し、簡易な構造で電圧が所定の値を越えていることを判定できる。
【００１１】
上記目的を達成するため、本発明に係る電圧が所定の値を越えていることを判定する電圧判定部品を、ツェナー電圧が所定の値に略等しいダイオードと、前記ダイオードから発生する熱を受けて常温状態から高温状態に状態変化することをできるバイメタルと、前記バイメタルが常温状態から高温状態に状態変化するのに連動して通電状態から非通電状態になるＢ接点と、前記ダイオードから発生する熱を受け所定の値以上の温度になると溶断する導電性素材を１対の端子に架橋した第一回路と、前記Ｂ接点と前記第一回路とを直列接続する直列接続回路と、を備え、電圧を前記ダイオードに逆方向に印加することが可能であるものとした。
【００１２】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、第一回路が前記ダイオードから発生する熱を受け所定の値以上の温度になると溶断する導電性素材を１対の端子に架橋し、前記Ｂ接点と前記第一回路とを直列接続するので、電圧を前記ダイオードに逆方向に印加すると、電圧が所定の値を越えているときに逆方向に電流が流れてダイオードが発熱し、バイメタルの状態変化に連動してＢ接点が非通電状態になり、またバイメタルの状態変化が起きなかったときにも第一回路が溶断し、簡易な構造で電圧が所定の値を越えていることを判定できる。
【００１３】
上記目的を達成するため、本発明に係る電圧が所定の値を越えていることを判定する電圧判定部品を、ツェナー電圧が所定の値に略等しいダイオードと、前記ダイオードから発生する熱を受けて常温状態から高温状態に状態変化することをできるバイメタルと、前記バイメタルが常温状態から高温状態に状態変化するのに連動して非通電状態から通電状態になるＡ接点と、前記Ａ接点が通電状態になると前記バイメタルの高温状態を保持する自己保持回路と、を備え、電圧を前記ダイオードに逆方向に印加することが可能であるものとした。
【００１４】
上記本発明の構成により、ダイオードのツェナー電圧が所定の値に略等しく、バイメタルが前記ダイオードから発生する熱を受けて常温状態から高温状態に状態変化することをでき、Ａ接点が前記バイメタルが常温状態から高温状態に状態変化するのに連動して非通電状態から通電状態になり、自己保持回路が前記Ａ接点が通電状態になると前記バイメタルの高温状態を保持するので、電圧を前記ダイオードに逆方向に印加すると、電圧が所定の値を越えているときに逆方向に電流が流れてダイオードが発熱し、バイメタルの状態変化に連動してＡ接点が通電状態になり、自己保持回路がバイメタルの高温状態を維持してＡ接点の通電状態を保持し、簡易な構造で電圧が所定の値を越えていることを判定できる。
【００１５】
上記目的を達成するため、本発明に係る電圧が所定の値を越えていることを判定する電圧判定部品を、ツェナー電圧が所定の値に略等しいダイオードと、前記ダイオードから発生する熱を受けて常温状態から高温状態に状態変化することをできるバイメタルと、前記バイメタルが常温状態から高温状態に状態変化するのに連動して非通電状態から通電状態になるＡ接点と、電圧を印加されると発熱し前記バイメタルに熱を伝える発熱体と、前記Ａ接点と前記発熱体とを直列接続した第二回路と、を備え、電圧を前記第二回路に印加することが可能であり、電圧を前記ダイオードに逆方向に印加することが可能であるものとした。
【００１６】
上記本発明の構成により、ダイオードのツェナー電圧が所定の値に略等しく、バイメタルが前記ダイオードから発生する熱を受けて常温状態から高温状態に状態変化することをでき、Ａ接点が前記バイメタルが常温状態から高温状態に状態変化するのに連動して非通電状態から通電状態になり、発熱体が電圧を印加されると発熱し前記バイメタルに熱を伝え、前記Ａ接点と前記発熱体とを直列接続するので、電圧を第二回路に印加して、電圧を前記ダイオードに逆方向に印加すると、電圧が所定の値を越えているときに逆方向に電流が流れてダイオードが発熱し、バイメタルの状態変化に連動してＡ接点が通電状態になり、前記発熱体が発熱してバイメタルの高温状態を維持してＡ接点の通電状態を保持し、簡易な構造で電圧が所定の値を越えていることを判定できる。
【００１７】
上記目的を達成するため、本発明に係る電源から負荷へ供給する電力の電圧が所定の値を越えている時に電力の供給を遮断する電力遮断方法を、ツェナー電圧が所定の値に略等しいダイオードを準備するダイオード準備工程と、前記ダイオードから発生する熱を受けて常温状態から高温状態に状態変化することをできるバイメタルを準備するバイメタル準備工程と、前記バイメタルが常温状態から高温状態に状態変化するのに連動して通電状態から非通電状態になるＢ接点を準備するＢ接点準備工程と、前記ダイオードから発生する熱を受け所定の値以上の温度になると溶断する導電性素材を１対の端子に架橋した第一回路を準備する第一回路準備工程と、電源と負荷との間に前記Ｂ接点と前記第一回路とを直列接続する直列接続工程と、電圧を前記ダイオードに逆方向に印加する電圧印加工程と、
を備えるものとした。
【００１８】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、第一回路が前記ダイオードから発生する熱を受け所定の値以上の温度になると溶断する導電性素材を１対の端子に架橋し、電源と負荷との間に前記Ｂ接点と前記第一回路とを直列接続し、電圧を前記ダイオードに逆方向に印加するので、
電圧が所定の値を越えているときに逆方向に電流が流れてダイオードが発熱し、バイメタルの状態変化に連動してＢ接点が非通電状態になり、またバイメタルの状態変化が起きなかったときにも第一回路が溶断し、簡易な構造で電源から負荷への電力の供給を遮断できる。
【００１９】
上記目的を達成するため、本発明に係る電源から負荷へ供給する電力の電圧が所定の値を越えている時に電力の供給を遮断する電力遮断方法を、ツェナー電圧が所定の値に略等しいダイオードを準備するダイオード準備工程と、前記ダイオードから発生する熱を受けて常温状態から高温状態に状態変化することをできるバイメタルを準備するバイメタル準備工程と、前記バイメタルが常温状態から高温状態に状態変化するのに連動して通電状態から非通電状態になるＢ接点を準備するＢ接点準備工程と、前記バイメタルが常温状態から高温状態に状態変化するのに連動して非通電状態から通電状態になるＡ接点を準備するＡ接点準備工程と、前記Ａ接点が通電状態になると前記バイメタルの高温状態を保持する自己保持回路を準備する自己保持回路準備工程と、電源と負荷との間に前記Ｂ接点を直列接続する直列接続工程と、電圧を前記ダイオードに逆方向に印加する電圧印加工程と、を備えるものとした。
【００２０】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、Ａ接点が前記バイメタルが常温状態から高温状態に状態変化するのに連動して非通電状態から通電状態になり、自己保持回路が前記Ａ接点が通電状態になると前記バイメタルの高温状態を保持し、電源と負荷との間に前記Ｂ接点を直列接続し、電圧を前記ダイオードに逆方向に印加するので、電圧が所定の値を越えているときに逆方向に電流が流れてダイオードが発熱し、バイメタルの状態変化に連動してＢ接点が非通電状態になり、Ａ接点が通電状態になり、自己保持回路がバイメタルの高温状態を維持してＢ接点の非通電状態を保持し、簡易な構造で電源から負荷への電力の供給を遮断できる。
【００２１】
上記目的を達成するため、本発明に係る電源から負荷へ供給する電力の電圧が所定の値を越えている時に電力の供給を遮断する電力遮断方法を、ツェナー電圧が所定の値に略等しいダイオードを準備するダイオード準備工程と、前記ダイオードから発生する熱を受けて常温状態から高温状態に状態変化することをできるバイメタルを準備するバイメタル準備工程と、前記バイメタルが常温状態から高温状態に状態変化するのに連動して通電状態から非通電状態になるＢ接点を準備するＢ接点準備工程と、前記バイメタルが常温状態から高温状態に状態変化するのに連動して非通電状態から通電状態になるＡ接点を準備するＡ接点準備工程と、電圧を印加されると発熱し前記バイメタルに熱を伝える発熱体を準備する発熱体準備工程と、前記Ａ接点と前記発熱体とを直列接続した第二回路を準備する第二回路準備工程と、電源と負荷との間に前記Ｂ接点を直列接続する直列接続工程と、電圧を前記第二回路に印加する第二回路電圧印加工程と、電圧を前記ダイオードに逆方向に印加する電圧印加工程と、を備えるものとした。
【００２２】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、Ａ接点が前記バイメタルが常温状態から高温状態に状態変化するのに連動して非通電状態から通電状態になり、発熱体が電圧を印加されると発熱し前記バイメタルに熱を伝え、前記Ａ接点と前記発熱体とを直列接続し、電源と負荷との間に前記Ｂ接点を直列接続し、電圧を前記第二回路に印加し、電圧を前記ダイオードに逆方向に印加するので、電圧が所定の値を越えているときに逆方向に電流が流れてダイオードが発熱し、バイメタルの状態変化に連動してＢ接点が非通電状態になり、Ａ接点が通電状態になり、発熱体が発熱してバイメタルの高温状態を維持してＢ接点の非通電状態を保持し、簡易な構造で電源から負荷への電力の供給を遮断できる。
【００２３】
さらに、本発明の実施形態に係る電力遮断方法は、前記Ａ接点の接点電極と前記Ｂ接点の接点電極とが前記バイメタルに各々設けられ、前記直列接続工程が前記バイメタルに直接に通電する。
上記本発明の構成により、前記Ａ接点の接点電極と前記Ｂ接点の接点電極とが前記バイメタルに各々設けられ、前記バイメタルに直接に通電すると、バイメタルが常温状態と高温状態との間で状態変化すると、前記Ａ接点または前記Ｂ接点が前記バイメタルに流れる電流を交互に通電状態または非通電状態にするので、簡易な構造で電源から負荷への電力の供給を遮断できる。
【００２４】
上記目的を達成するため、本発明に係る電源から負荷へ供給する電力の電圧が所定の値を越えている時に電力の供給を遮断する電力遮断装置を、ツェナー電圧が所定の値に略等しいダイオードと、前記ダイオードから発生する熱を受けて常温状態から高温状態に状態変化することをできるバイメタルと、前記バイメタルが常温状態から高温状態に状態変化するのに連動して通電状態から非通電状態になるＢ接点と、前記ダイオードから発生する熱を受け所定の値以上の温度になると溶断する導電性素材を１対の端子に架橋した第一回路と、電源と負荷との間に前記Ｂ接点と前記第一回路とを直列接続する直列接続回路と、
電圧を前記ダイオードに逆方向に印加する電圧印加回路と、
を備えるものとした。
【００２５】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、第一回路が前記ダイオードから発生する熱を受け所定の値以上の温度になると溶断する導電性素材を１対の端子に架橋し、直列接続回路が電源と負荷との間に前記Ｂ接点と前記第一回路とを直列接続し、電圧印加回路が電圧を前記ダイオードに逆方向に印加するので、電圧が所定の値を越えているときに逆方向に電流が流れてダイオードが発熱し、バイメタルの状態変化に連動してＢ接点が非通電状態になり、またバイメタルの状態変化が起きなかったときにも第一回路が溶断し、簡易な構造で電源から負荷への電力の供給を遮断できる。
【００２６】
上記目的を達成するため、本発明に係る電源から負荷へ供給する電力の電圧が所定の値を越えている時に電力の供給を遮断する電力遮断装置を、ツェナー電圧が所定の値に略等しいダイオードと、前記ダイオードから発生する熱を受けて常温状態から高温状態に状態変化することをできるバイメタルと、前記バイメタルが常温状態から高温状態に状態変化するのに連動して通電状態から非通電状態になるＢ接点と、前記バイメタルが常温状態から高温状態に状態変化するのに連動して非通電状態から通電状態になるＡ接点と、前記Ａ接点が通電状態になると前記バイメタルの高温状態を保持する自己保持回路と、電源と負荷との間に前記Ｂ接点を直列接続する直列接続回路と、電圧を前記ダイオードに逆方向に印加する電圧印加回路と、を備えるものとした。
【００２７】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、Ａ接点が前記バイメタルが常温状態から高温状態に状態変化するのに連動して非通電状態から通電状態になり、自己保持回路が前記Ａ接点が通電状態になると前記バイメタルの高温状態を保持し、直列接続回路が電源と負荷との間に前記Ｂ接点を直列接続し、電圧印加回路が電圧を前記ダイオードに逆方向に印加するので、電圧が所定の値を越えているときに逆方向に電流が流れてダイオードが発熱し、バイメタルの状態変化に連動してＢ接点が非通電状態になり、Ａ接点が通電状態になり、自己保持回路がバイメタルの高温状態を維持してＢ接点の非通電状態を保持し、簡易な構造で電源から負荷への電力の供給を遮断できる。
【００２８】
上記目的を達成するため、本発明に係る電源から負荷へ供給する電力の電圧が所定の値を越えている時に電力の供給を遮断する電力遮断装置を、ツェナー電圧が所定の値に略等しいダイオードと、前記ダイオードから発生する熱を受けて常温状態から高温状態に状態変化することをできるバイメタルと、前記バイメタルが常温状態から高温状態に状態変化するのに連動して通電状態から非通電状態になるＢ接点と、前記バイメタルが常温状態から高温状態に状態変化するのに連動して非通電状態から通電状態になるＡ接点と、電圧を印加されると発熱し前記バイメタルに熱を伝える発熱体と、前記Ａ接点と前記発熱体と直列接続した第二回路と、電源と負荷との間に前記Ｂ接点を直列接続する直列接続回路と、電圧を前記第二回路に印加する第二回路電圧印加回路と、電圧を前記ダイオードに逆方向に印加する電圧印加回路と、を備えるものとした。
【００２９】
上記本発明の構成により、ダイオードのツェナー電圧が所定の値に略等しく、バイメタルが前記ダイオードから発生する熱を受けて常温状態から高温状態に状態変化することをでき、Ｂ接点が前記バイメタルが常温状態から高温状態に状態変化するのに連動して通電状態から非通電状態になり、Ａ接点が前記バイメタルが常温状態から高温状態に状態変化するのに連動して非通電状態から通電状態になり、発熱体が電圧を印加されると発熱し前記バイメタルに熱を伝え、第二回路が前記Ａ接点と前記発熱体と直列接続し、直列接続回路が電源と負荷との間に前記Ｂ接点を直列接続し、第二回路電圧印加回路が電圧を前記第二回路に印加し、電圧印加回路が電圧を前記ダイオードに逆方向に印加するので、電圧が所定の値を越えているときに逆方向に電流が流れてダイオードが発熱し、バイメタルの状態変化に連動してＢ接点が非通電状態になり、Ａ接点が通電状態になり、前記発熱体が発熱してバイメタルの高温状態を維持してＢ接点の非通電状態を保持し、簡易な構造で電源から負荷への電力の供給を遮断できる。
【００３０】
さらに、本発明の実施形態に係る電力遮断装置は、前記Ａ接点の接点電極と前記Ｂ接点の接点電極とが前記バイメタルに各々設けられ、前記直列接続工程が前記バイメタルに直接に通電する。
上記本発明の構成により、前記Ａ接点の接点電極と前記Ｂ接点の接点電極とが前記バイメタルに各々設けられ、前記バイメタルに直接に通電すると、バイメタルが常温状態と高温状態との間で状態変化すると、前記Ａ接点または前記Ｂ接点が前記バイメタルに流れる電流を交互に通電状態または非通電状態とにするので、簡易な構造で電源から負荷への電力の供給を遮断できる。
【発明の効果】
【００３１】
以上説明したように本発明に係る電圧判定方法と電圧判定部品は、その構成により、以下の効果を有する。
ツェナー電圧が所定の値に略等しいダイオードから発生する熱を受けて状態変化するバイメタルと、前記バイメタルが常温状態から高温状態に状態変化するのに連動して通電状態から非通電状態へ変化するＢ接点を設け、前記ダイオードから発生する熱を受け所定の値以上の温度になると溶断する導電性素材を１対の端子に架橋した第一回路を前記Ｂ接点に直列接続したので、電圧が所定の値を越えているときに逆方向に電流が流れてダイオードが発熱し、バイメタルの状態変化に連動してＢ接点が非通電状態になり、またバイメタルの状態変化が起きなかったときにも第一回路が溶断し、簡易な構造で電圧が所定の値を越えていることを判定できる。
また、ツェナー電圧が所定の値に略等しいダイオードから発生する熱を受けて状態変化するバイメタルと、前記バイメタルが常温状態から高温状態に状態変化するのに連動して非通電状態から通電状態になるＡ接点を設け、Ａ接点が通電状態になると前記バイメタルの高温状態を保持する様にしたので、電圧が所定の値を越えているときに逆方向に電流が流れてダイオードが発熱し、バイメタルの状態変化に連動してＡ接点が通電状態になり、自己保持回路がバイメタルの高温状態を維持してＡ接点の通電状態を保持し、簡易な構造で電圧が所定の値を越えていることを判定できる。
また、ツェナー電圧が所定の値に略等しいダイオードから発生する熱を受けて状態変化するバイメタルと、前記バイメタルが常温状態から高温状態に状態変化するのに連動して非通電状態から通電状態になるＡ接点を設け、前記Ａ接点と電圧を印加されると発熱し前記バイメタルに熱を伝える発熱体とを直列接続した回路に電圧を印加するので、電圧が所定の値を越えているときに逆方向に電流が流れてダイオードが発熱し、バイメタルの状態変化に連動してＡ接点が通電状態になり、前記発熱体が発熱してバイメタルの高温状態を維持してＡ接点の通電状態を保持し、簡易な構造で電圧が所定の値を越えていることを判定できる。
【００３２】
以上説明したように本発明に係る電力遮断方法と電力遮断装置は、その構成により、以下の効果を有する。
ツェナー電圧が所定の値に略等しいダイオードから発生する熱を受けて状態変化するバイメタルと、前記バイメタルが常温状態から高温状態に状態変化するのに連動して通電状態から非通電状態へ変化するＢ接点を設け、前記ダイオードから発生する熱を受け所定の値以上の温度になると溶断する導電性素材を１対の端子に架橋した第一回路と前記Ｂ接点とを電源と負荷との間に直列接続したので、電圧が所定の値を越えているときに逆方向に電流が流れてダイオードが発熱し、バイメタルの状態変化に連動してＢ接点が非通電状態になり、またバイメタルの状態変化が起きなかったときにも第一回路が溶断し、簡易な構造で電源から負荷への電力の供給を遮断できる。
また、ツェナー電圧が所定の値に略等しいダイオードから発生する熱を受けて状態変化するバイメタルと、前記バイメタルが常温状態から高温状態に状態変化するのに連動して通電状態から非通電状態へ変化するＢ接点と非通電状態から通電状態になるＡ接点とを設け、Ａ接点が通電状態になると前記バイメタルの高温状態を保持する様にし、前記Ｂ接点を電源と負荷との間に直列接続したので、電圧が所定の値を越えているときに逆方向に電流が流れてダイオードが発熱し、バイメタルの状態変化に連動してＢ接点が非通電状態になり、Ａ接点が通電状態になり、自己保持回路がバイメタルの高温状態を維持してＢ接点の非通電状態を保持し、簡易な構造で電源から負荷への電力の供給を遮断できる。
また、ツェナー電圧が所定の値に略等しいダイオードから発生する熱を受けて状態変化するバイメタルと、前記バイメタルが常温状態から高温状態に状態変化するのに連動して通電状態から非通電状態へ変化するＢ接点と非通電状態から通電状態になるＡ接点とを設け、前記Ａ接点と電圧を印加されると発熱し前記バイメタルに熱を伝える発熱体とを直列接続した第二回路に電圧を印加し、前記Ｂ接点を電源と負荷との間に直列接続したので、電圧が所定の値を越えているときに逆方向に電流が流れてダイオードが発熱し、バイメタルの状態変化に連動してＢ接点が非通電状態になり、Ａ接点が通電状態になり、前記発熱体が発熱してバイメタルの高温状態を維持してＢ接点の非通電状態を保持し、簡易な構造で電源から負荷への電力の供給を遮断できる。
また、前記Ａ接点の接点電極と前記Ｂ接点の接点電極とを前記バイメタルの両面に各々設けて前記バイメタルに直接に通電したので、バイメタルが常温状態と高温状態との間で状態変化すると、前記Ａ接点と前記Ｂ接点とが前記バイメタルに流れる電流を交互に通電状態と非通電状態とにするので、簡易な構造で電源から負荷への電力の供給を遮断できる。
従って、構成が簡単で作動が確実な電圧判定方法と電圧判定部品と電力遮断方法と電力遮断装置とを提供できる。
【発明を実施するための最良の形態】
【００３３】
以下、本発明を実施するための最良の形態を、図面を参照して説明する。  
【００３４】
最初に、本発明の第一の実施形態に係る電圧判定方法を説明する。
電圧判定方法は、電圧が所定の値であることを判定する方法であって、ダイオード準備工程とバイメタル準備工程とＢ接点準備工程と第一回路準備工程と電圧印加工程と電圧判定工程とで構成される。
ここで、電圧は基準電位と＋端子の電位の差である。通例、基準電位は、−端子の電位である。
ダイオード準備工程において、ツェナー電圧が所定の値に略等しいダイオード１０を準備する。ダイオードは、ツエナーダイオードであるのが好ましい。
バイメタル準備工程において、バイメタルを準備する。バイメタルは、ダイオードから発生する熱を受けて常温状態から高温状態に状態変化することをできる素子である。
バイメタルは、温度膨張係数の異なる２枚の金属を貼りあわせた構造を有し、温度の変化にしたがって状態を変化させる。
バイメタルの温度が低い方から高い方へ変化すると、バイメタルの状態が常温状態から高温状態へ変化する。
バイメタルの温度が高い方から低い方へ変化すると、バイメタルの状態が高温状態から常温状態へ変化する。
バイメタルは、バイメタルディスクであるのが好ましい。バイメタルディスク２０は、平面部２１と球面部２２とで構成される。バイメタルディスクの状態が変化すると、球面部２２の曲率の符号が反転する。
図１０は、バイメタルディスクの状態の遷移と設定温度との関連を示す。
バイメタルディスクの温度が低い方から高い方へ変化して所定設定温度の高温Ｔｈになると、バイメタルディスクの状態が常温状態から高温状態にスナップ状に変化する。バイメタルディスクの温度が高い方から低い方へ変化して所定設定温度の低温Ｔｌになると、バイメタルディスクの状態が高温状態から常温状態にスナップ状に変化する。所定設定温度の高温Ｔｈは所定設定温度の低温Ｔｌより高いので、バイメタルディスクの状態の変化がいわゆるヒステリシスを持つ。
【００３５】
Ｂ接点準備工程において、Ｂ接点を準備する。Ｂ接点は、バイメタルが常温状態から高温状態に状態変化するのに連動して通電状態から非通電状態になる接点である。
Ｂ接点が１対のＢ接点電極で構成される場合に、一方のＢ接点電極がバイメタルに設けられ、電流をバイメタルに直接に流すのが好ましい。バイメタルの状態が常温状態であるときに一方のＢ接点電極が他方のＢ接点電極に接してＢ接点が通電状態になり、バイメタルの状態が高温状態であるときに一方のＢ接点電極が他方のＢ接点電極から離れてＢ接点が非通電状態になる。
【００３６】
第一回路準備工程において、第一回路を準備する。第一回路は、ダイオードから発生する熱を受け所定の値以上の温度になると溶断する導電性素材を１対の端子に架橋した回路である。
導電性材料が溶断すると、１対の端子を架橋するのもがなくなり、第一回路が非通電状態になる。
【００３７】
電圧印加工程では、電圧をダイオードに逆方向に印加する。
【００３８】
電圧判定工程において、Ｂ接点または第一回路の少なくとも一方が通電状態から非通電状態になると、電圧Ｖが所定の値を越えていると判定する。
例えば、Ｂ接点と第一回路とを直列接続すると、Ｂ接点と第一回路との少なくとも一方が非通電状態になると、電力が流れなくなる。
【００３９】
本発明の第一の実施形態に係る電圧判定方法の作用を説明する。
図９は、ツエナーダイオードの電流−電圧特性を表すグラフである。
ダイオード１０に逆方向に電圧Ｖを印加する。電圧Ｖがツェナー電圧Ｖｔよりも十分に小さいときは、電流Ｉはゼロである。
電圧Ｖが上昇してツェナー電圧Ｖｔに略等しくなると、電流Ｉが急激に大きくなる。電流が流れると、ダイオード１０が発熱する。
ダイオード１０の熱が、バイメタル２０と第一回路４０とに伝達する。
バイメタル２０が熱を受けると、バイメタルの温度が低い方から高い方へ変化して、バイメタル２０の状態が常温状態から高温状態に変化する。
バイメタル２０の状態が常温状態から高温状態になると、Ｂ接点が通電状態から非通電状態になる。
Ｂ接点が非通電にならない場合、ダイオード１０が発熱を続けて第一回路が溶断する。
Ｂ接点と第一回路のどちらかが非通電状態になると、電圧が所定の値を越えていると判定できる。
例えば、Ｂ接点と第一回路を直列接続すると、Ｂ接点と第一回路の少なくとも一方が非通電状態になると、Ｂ接点と第一回路とに電気が流れなくなる。この直列接続したＢ接点と第一回路とを直接に使用し、または接点の出力を信号として使用すると、電圧が所定の値を越えているときに各種の機能を発揮させることができる
【００４０】
次に、本発明の第二の実施形態に係る電圧判定方法を説明する。
電圧判定方法は、電圧が所定の値を越えていることを判定する方法であって、ダイオード準備工程とバイメタル準備工程とＢ接点準備工程とＡ接点準備工程と自己保持回路準備工程と電圧印加工程と電圧判定工程とで構成される。
ダイオード準備工程とバイメタル準備工程とＢ接点準備工程と電圧印加工程とは、第一の実施形態に係る電圧判定工程でのものと同じなので、説明を省略する。
Ａ接点準備工程は、Ａ接点を準備する工程である。Ａ接点は、バイメタルが常温状態から高温状態に状態変化するのに連動して非通電状態から通電状態になる素子である。
自己保持回路準備工程は、自己保持回路を準備する工程である。自己保持回路は、Ａ接点が通電状態になるとバイメタルの高温状態を保持する電子回路である。
電圧判定工程は、Ｂ接点が通電状態から非通電状態に状態変化したときに電圧が所定の値を越えていると判定する工程である。
【００４１】
以下に、本発明の第二の実施形態に係る電圧判定方法の作用を説明する。  
ダイオード１０に逆方向に電圧Ｖを印加する。電圧Ｖがツェナー電圧Ｖｔよりも十分に小さいときは、電流Ｉはゼロである。バイメタル２０の状態は、常温状態である。
電圧Ｖが上昇してツェナー電圧Ｖｔに略等しくなると、電流Ｉが急激に大きくなる。電流が流れると、ダイオード１０が発熱する。
バイメタル２０が熱を受けると、バイメタル２０の状態が常温状態から高温状態に変化する。
バイメタル２０の状態が常温状態から高温状態になると、Ｂ接点が通電状態から非通電状に変化し、Ａ接点が非通電状態から通電状態に変化する。
Ａ接点が通電状態になると、自己保持回路がバイメタル２０の状態を高温状態に保持し、Ｂ接点の非通電状態が維持される。
Ｂ接点が通電状態から非通電状態になったことから、電圧が所定の電圧を越えていることを判定できる。
また、Ａ接点が非通電状態から通電状態になったことから、電圧が所定の電圧を越えていることを判定できる。
このＡ接点またはＢ接点を直接に使用し、またはＡ接点またはＢ接点の出力を信号として使用すると、電圧が所定の値を越えているときに、各種の機能を発揮させることができる。
【００４２】
次に、本発明の第三の実施形態に係る電圧判定方法を説明する。
電圧判定方法は、電圧が所定の値を越えていることを判定する方法であって、ダイオード準備工程とバイメタル準備工程とＢ接点準備工程とＡ接点準備工程と発熱体準備工程と第二回路準備工程と第二回路電圧印加工程と電圧印加工程と電圧判定工程とで構成される。
ダイオード準備工程とバイメタル準備工程とＢ接点準備工程とＡ接点準備工程と電圧印加工程とは、第二の実施形態に係る電圧判定方法でのものと同じなので、説明を省略する。
発熱体準備工程は、発熱体を準備する工程である。発熱体は、電圧を印加されると発熱し前記バイメタルに熱を伝える素子である。
発熱体６０は、定温度ヒータであるのが好ましい。特に定温度ヒータは、ＰＴＣサーミスタであるのが好ましい。ＰＴＣサーミスタは、ポリマー型であるのが好ましい。この様にすると、発熱体６０が容易に変形するので、発熱体６０と絶縁体６１とバイメタル２０の接触が良好になり、熱の伝達抵抗が小さくなる。
第二回路準備工程は、第二回路を準備する工程である。第二回路は、Ａ接点と発熱体とを直列接続した回路である。
第二回路電圧印加工程は、第二回路に電圧を印加する工程である。例えば、第二回路を電源に並列接続する。
電圧判定工程は、Ｂ接点の状態が通電状態から非通電状態になったとき、またはＡ接点の状態が非通電状態から通電状態になったときに、電圧が所定の電圧を越えていると判定する工程である。
【００４３】
以下に、本発明の第三の実施形態に係る電圧判定方法の作用を説明する。
ダイオード１０に逆方向に電圧Ｖを印加する。電圧Ｖがツェナー電圧Ｖｔよりも十分に小さいときは、電流Ｉはゼロである。バイメタル２０の状態は、常温状態である。
電圧Ｖが上昇してツェナー電圧Ｖｔに略等しくなると、電流Ｉが急激に大きくなる。電流が流れると、ダイオード１０が発熱する。
バイメタル２０が熱を受けると、バイメタル２０の状態が常温状態から高温状態に変化する。
バイメタル２０の状態が常温状態から高温状態になると、Ｂ接点が通電状態から非通電状に変化し、Ａ接点が非通電状態から通電状態に変化する。
Ａ接点が通電状態になると、発熱体に電圧が印加されて発熱し、バイメタルに熱を伝えて、バイメタル２０の状態を高温状態に保持し、Ｂ接点の非通電状態が維持される。
Ｂ接点が通電状態から非通電状態になったことから、電圧が所定の電圧を越えていることを判定できる。
また、Ａ接点が非通電状態から通電状態になったことから、電圧が所定の電圧を越えていることを判定できる。
このＡ接点またはＢ接点を直接に使用し、またはＡ接点またはＢ接点の出力を信号として使用すると、電圧が所定の値を越えているときに、各種の機能を発揮させることができる。
【００４４】
次に、本発明の第一の実施形態に係る電力遮断方法の構成を説明する。
電力遮断方法は、電源から負荷へ供給する電力の電圧が所定の値を越えている時に電力の供給を遮断する方法であって、ダイオード準備工程とバイメタル準備工程とＢ接点準備工程と第一回路準備工程と直列接続工程と電圧印圧工程とで構成される。
ダイオード準備工程とバイメタル準備工程とＢ接点準備工程と第一回路準備工程とは、第一の実施形態に係る電圧判定方法のものと同じなので、説明を省略する。
直列接続工程は、電源と負荷との間にＢ接点と第一回路とを直列接続する工程である。Ｂ接点と第一回路とが通電状態になるとき、電源から負荷に電力が供給され、Ｂ接点または第一回路が非通電状態になるとき、電源から負荷への電力の供給が遮断される。
電圧印加工程は、電圧をダイオードに逆方向に印加する工程である。例えば、ダイオードを負荷に並列接続する。
負荷が充電式電池であり、所定の値を充電式電池の満充電時の電圧の値に設定するのが好ましい。この様にすると、充電式電池を充電する際に、充電式電池が満充電状態になると、電力の供給を遮断できる。
【００４５】
以下に、本発明の第一の実施形態に係る電力遮断方法の作用を説明する。
電源が、Ｂ接点と第一回路を通じて負荷に電力を供給する。
ダイオード１０に逆方向に電圧Ｖを印加する。電圧Ｖがツェナー電圧Ｖｔよりも十分に小さいときは、電流Ｉはゼロである。
電圧Ｖが上昇してツェナー電圧Ｖｔに略等しくなると、電流Ｉが急激に大きくなる。電流が流れると、ダイオード１０が発熱する。
ダイオード１０の熱が、バイメタル２０と第一回路４０とに伝達する。
バイメタル２０が熱を受けると、バイメタル２０の状態が常温状態から高温状態に変化する。
バイメタル２０の状態が常温状態から高温状態になると、Ｂ接点が通電状態から非通電状態になり、電力の供給を遮断する。
バイメタルが発熱してもＢ接点が非通電状態にならない場合、ダイオード１０が発熱を続けて第一回路が溶断し、電力の供給を遮断する。
ダイオードが負荷に並列接続されている場合、ダイオードへの通電がなくなり、ダイオードの発熱が自動的になくなる。
【００４６】
次に、本発明の第二の実施形態に係る電力遮断方法の構成を説明する。
電力遮断方法は、電源から負荷へ供給する電力の電圧が所定の値を越えている時に電力の供給を遮断する方法であって、ダイオード準備工程とバイメタル準備工程とＢ接点準備工程とＡ接点準備工程と自己保持回路準備工程と直列接続工程と電圧印圧工程とで構成される。
ダイオード準備工程とバイメタル準備工程とＢ接点準備工程とＡ接点準備工程と自己保持回路準備工程と電圧印圧工程とは、第二の実施形態に係る電圧判定方法のものと同じなので、説明を省略する。
直列接続工程は、電源と負荷との間にＢ接点とを直列接続する工程である。Ｂ接点が通電状態になるとき、電源から負荷に電力が供給され、Ｂ接点が非通電状態になるとき、電源から負荷への電力の供給が遮断される。
電圧印加工程は、電圧をダイオードに逆方向に印加する工程である。例えば、ダイオードを負荷に並列接続する。
負荷が充電式電池であり、所定の値を充電式電池の満充電時の電圧の値に設定するのが好ましい。この様にすると、充電式電池を充電する際に、充電式電池が満充電状態になると、電力の供給を遮断できる。
【００４７】
以下に、本発明の第二の実施形態に係る電力遮断方法の作用を説明する。
電源から、Ｂ接点を介して電力が負荷に供給される。
ダイオード１０に逆方向に電圧Ｖを印加する。電圧Ｖがツェナー電圧Ｖｔよりも十分に小さいときは、電流Ｉはゼロである。バイメタル２０の状態は、常温状態である。
電圧Ｖが上昇してツェナー電圧Ｖｔに略等しくなると、電流Ｉが急激に大きくなる。電流が流れると、ダイオード１０が発熱する。
バイメタル２０が熱を受けると、バイメタル２０の状態が常温状態から高温状態に変化する。
バイメタル２０の状態が常温状態から高温状態になると、Ｂ接点が通電状態から非通電状に変化し、Ａ接点が非通電状態から通電状態に変化する。
Ａ接点が通電状態になると、自己保持回路がバイメタル２０の状態を高温状態に保持するので、Ｂ接点の非通電状態が維持される。
Ｂ接点が通電状態から非通電状態になり、電源から負荷への電力の供給を遮断する。
ダイオードが負荷に並列接続されている場合、ダイオードへの通電がなくなり、ダイオードの発熱が自動的になくなる。
【００４８】
次に、本発明の第三の実施形態に係る電力遮断方法の構成を説明する。
電力遮断方法は、電源から負荷へ供給する電力の電圧が所定の値を越えている時に電力の供給を遮断する方法であって、ダイオード準備工程とバイメタル準備工程とＢ接点準備工程とＡ接点準備工程と発熱体準備工程と第二回路準備工程と直列接続工程と第二回路印加工程と電圧印圧工程とで構成される。
ダイオード準備工程とバイメタル準備工程とＢ接点準備工程とＡ接点準備工程と発熱体準備工程と第二回路準備工程と電圧印圧工程とは、第三の実施形態に係る電圧判定方法のものと同じなので、説明を省略する。
直列接続工程は、電源と負荷との間にＢ接点を直列接続する工程である。Ｂ接点が通電状態になるとき、電源から負荷に電力が供給され、Ｂ接点が非通電状態になるとき、電源から負荷への電力の供給が遮断される。
第二回路電圧印加工程は、電圧を第二回路に印加する工程である。例えば、第二回路を電源に並列接続する。
電圧印加工程は、電圧をダイオードに逆方向に印加する工程である。例えば、ダイオードを負荷に並列接続する。
負荷が充電式電池であり、所定の値を充電式電池の満充電時の電圧の値に設定するのが好ましい。この様にすると、充電式電池を充電する際に、充電式電池が満充電状態になると、電力の供給を遮断できる。
【００４９】
以下に、本発明の第三の実施形態に係る電力遮断方法の作用を説明する。
電源から、Ｂ接点を解して電力が付加に供給される。
ダイオード１０に逆方向に電圧Ｖを印加する。電圧Ｖがツェナー電圧Ｖｔよりも十分に小さいときは、電流Ｉはゼロである。バイメタル２０の状態は、常温状態である。
電圧Ｖが上昇してツェナー電圧Ｖｔに略等しくなると、電流Ｉが急激に大きくなる。電流が流れると、ダイオード１０が発熱する。
バイメタル２０が熱を受けると、バイメタル２０の状態が常温状態から高温状態に変化する。
バイメタル２０の状態が常温状態から高温状態になると、Ｂ接点が通電状態から非通電状に変化し、Ａ接点が非通電状態から通電状態に変化する。
Ａ接点が通電状態になると、発熱体に電圧が印加される。電圧が印加されると発熱体が発熱し、バイメタルに熱を伝える。
バイメタル２０の状態が高温状態に保持され、Ｂ接点の非通電状態が維持される。
Ｂ接点が通電状態から非通電状態になり、電源から負荷への電力の供給を遮断する。
ダイオードが負荷に並列接続されている場合、ダイオードへの通電がなくなり、ダイオードの発熱が自動的になくなる。
【００５０】
本発明の第一の実施形態に係る電力遮断装置と電圧判定部品とを、図を基に、説明する。
図１は、本発明の第一の実施形態に係る電圧判定部品の側面断面図である。図２は、本発明の第一の実施形態に係る電圧判定部品の正面断面図である。図３は、本発明の第一の実施形態に係る電力遮断装置の回路図その１である。図４は、本発明の第一の実施形態に係る電力遮断装置の回路図その２である。
電圧判定部品は、電源の電圧が所定の値に達した時に電源から負荷への電力の供給を遮断する部品であって、ダイオード１０とバイメタル２０とＢ接点３０と第一回路４０とケース７０とで構成される。
ダイオード１０のツェナー電圧が、所定の値に略等しい。ダイオードはツエナーダイオードであるのが好ましい。
バイメタル２０は、ダイオード１０から発生する熱を受けて常温状態から高温状態に状態変化することをできる。
バイメタルは、温度膨張係数の異なる２枚の金属を貼りあわせた構造を有し、温度の変化にしたがって状態を変化させる。
バイメタルの温度が低い方から高い方へ変化すると、バイメタルの状態が常温状態から高温状態へ変化する。
バイメタルの温度が高い方から低い方へ変化すると、バイメタルの状態が高温状態から常温状態へ変化する。
バイメタルは、バイメタルディスクであるのが好ましい。バイメタルディスク２０は、平面部２１と球面部２２とで構成される。バイメタルディスクの状態が変化すると、球面部２２の曲率の符号が反転する。
図１０は、バイメタルディスクの状態の遷移と設定温度との関連を示す。
バイメタルディスクの温度が低い方から高い方へ変化して所定設定温度の高温Ｔｈになると、常温状態から高温状態にスナップ状に変化する。バイメタルディスクの温度が高い方から低い方へ変化して所定設定温度の低温Ｔｌになると、高温状態から常温状態にスナップ状に変化する。所定設定温度の高温Ｔｈは所定設定温度の低温Ｔｌより高いので、バイメタルディスクの状態の変化がいわゆるヒステリシスを持つ。
【００５１】
Ｂ接点３０は、バイメタル２０が常温状態から高温状態に状態変化するのに連動して通電状態から非通電状態になる。Ｂ接点３０は、１対のＢ接点電極３１、３２で構成される。
バイメタル２０とＢ接点電極板３３を間に空間を介して対面して配し、一方のＢ接点電極３１がバイメタル２０に設けられ、他方のＢ接点電極をＢ接点電極板３３に設けるのが好ましい。
バイメタル２０の姿勢が、ケース７０に囲まれた空間の中で常温状態または高温状態の一方になる。
Ｂ接点電極板３３がケース７０にモールドされる。
【００５２】
第一回路４０は、ダイオードから発生する熱を受け所定の値以上の温度になると溶断する導電性素材を１対の端子に架橋した回路である。導電性素材は、低融点の導電性金属であるのが好ましい。例えば、導電性金属は、ユーズに用いられる金属である。
第一回路４０は、距離的に離間した１対の端子と１対の端子を架橋する低融点の導電性材料とで構成される。
第一回路４０が、ケース本体にモールドされるＢ接点電極板３３のダイオード１０に近接する箇所に設けられる。
導電性材料がダイオードに近接しているので、ダイオード１０が発熱を継続すると導電性材料が溶断して第一回路４０が非通電状態になり、他方のＢ接点電極３２と第二端子Ｔ２とが非通電になり、電力の供給が遮断される。
【００５３】
電圧をダイオード１０に逆方向に印加することが可能であり、電源と負荷との間にＢ接点３０を直列接続することが可能になっている。
ケース７０は、ダイオード１０とバイメタル２０とＢ接点３０と第一回路４０とを収納する容器であり、一般的に樹脂製である。
ケース７０は、ケース蓋７１とケース本体７２とで構成される。
ケース本体７２の内側には、Ｂ接点電極板３３がモールドされる。
第一端子Ｔ１と第二端子Ｔ２と第三端子Ｔ３とがケース７０から突出している。
第一端子Ｔ１と第二端子Ｔ２との間にＢ接点３０と第一回路とが直列接続される。
ケース７０は、第一回路４０を包む空間７３を設けられるのが好ましい。特に空間７３は、ケース７０の外部へ開放されているのが好ましい。この様にすると、第一回路４０の熱が容易に外部へ放熱できる。
ストッパ７４が、バイメタルディスク２０の球面部の略中央とＢ接点電極板３１と間にのケース本体７２に設けられる。この様にすると、バイメタルディスク２０が高温状態になった際に、電圧判定部品が振動により揺すられても、Ｂ接点が通電状態になる恐れがなくなる。
【００５４】
バイメタルディスク２０の一端がケース本体７２とケース蓋７１とに挟まれる、バイメタルディスク２０の状態が常温状態と高温状態の間で変化すると、バイイメタルディスクの他端が上下に揺動する。
図１（Ｓ）が、バイメタルディスク２０の状態が常温状態である場合を示す。
図１（Ｔ）が、バイメタルディスク２０の状態が高温状態である場合を示す。
一方のＢ接点電極３１がバイメタルデスク２０の他端に設けられる。他方のＢ接点電極３２が、ケーズ本体７２にモールドされたＢ接点電極板３３の一方のＢ接点電極３１に対抗する位置に設けられる。
バイメタルディスク２０が常温状態であるときに、一方のＢ接点電極３１は他方のＢ接点電極３２に接触し、Ｂ接点３０が通電状態になる。
バイメタルディスク２０が高温状態であるときに、一方のＢ接点電極３１は他方のＢ接点電極３２から離れ、Ｂ接点３０が非通電状態になる。
ケース蓋７１とケース本体７２がダイオード１０とバイメタルディスク２０と挟み込む。ダイオード１０が発熱すると、熱が容易にバイメタルディスク２０と第一回路４０とに伝達する。
第一端子Ｔ１が、バイメタルディスク２０の一端に導通する。
第二端子Ｔ２が、第一回路４０を間に挟んで他方のＢ接点電極３２の反対側に位置するＢ接点電極板３３の箇所に導通する。
第三端子Ｔ３がダイオード１０の一方の端子に導通する。ダイオード１０の他方の端子がＢ接点電極板３３の第一回路４０と他方のＢ接点電極３２とに挟まれる位置に導通する。
電源の＋端子を第一端子Ｔ１に導通し、第三端子Ｔ３を−端子に導通すると、ダイオード１０に逆方向の電圧が印加する様にする。
【００５５】
本発明の第一の実施形態に係る電力遮断装置とその作用を説明する。
図３は、本発明の第一の実施形態に係る電力遮断装置の第一のタイプの回路を模式的に示している。
負荷９０は、充電式電池９１と負荷回路９２とで構成される。バイメタルは、バイメッタルディスクである。
ダイオード１０のツェナー電圧は、充電式電池９１の満充電時の＋側の電位に略等しい。
電圧判定部品の第一端子Ｔ１に、電源８０の＋端子と負荷回路９２の＋端子を導通する。
電圧判定部品の第二端子Ｔ２に、充電式電池９１の＋端子を導通する。
電圧判定部品の第三端子Ｔ３に、電源８０の−端子と充電式電池９１の−端子と負荷回路９２の−端子とを導通する。
電源８０の電圧が、バイメタル２０とＢ接点３０とを通じて、ダイオード１０に逆方向に印加され、電源８０と充電式電池９１（負荷に相当する）との間にＢ接点３０と第一回路４０とが直列接続される。
第二端子Ｔ２の電位は、電源８０の出力インピーダンスと充電式電池９１の入力インピーダンスの相対的関係で定まる値になる。
通例、充電式電池９１が未充電であるとき第二端子Ｔ２の電位は低く、充電式電池９１が満充電に近づくと第二端子Ｔ２の電位は上昇する。
【００５６】
バイメタルディスク２０の状態が常温状態になっており、Ｂ接点３０が通電状態であるので、第一端子Ｔ１と第二端子Ｔ２とは導通する。
電源８０の電源スイッチ８１をオンにすると、電流が、第一端子Ｔ１を通り、バイメタルディスク２０とＢ接点３０と第一回路４０とを通り、第二端子Ｔ２を通って、充電式電池９１へ流れる。
充電式電池９１が満充電状態でない場合には、ダイオード１０に逆方向に印加された電圧がツェナー電圧よりも低いので、電流がダイオード１０に流れず、ダイオード１０は発熱しない。
充電を継続すると充電式電池９１が満充電状態に近づく。
充電式電池９１が満充電状態になると、第二端子Ｔ２の電位がツェナー電圧の値に略等しくなる。
ダイオード１０に逆方向に印加された電圧がツェナー電圧に略等しいので、電流がダイオード１０に逆方向に流れて、ダイオード１０が発熱する。
ダイオード１０の熱がバイメタル２０に伝わり、バイメタル２０の状態が常温状態から高温状態に変化する。
バイメタルディスク２０が高温状態になると、一方のＢ接点電極３１と他方のＢ接点電極３２とが離れ、Ｂ接点３０が非通電状態になる。
従って、第一端子Ｔ１と第二端子Ｔ２とが非通電状態になり、電源８０から充電式電池９１への電力の供給が遮断される。
電源スイッチ８１をオフすると、充電式電池９１の充電が終了し、充電式電池９１が負荷回路９２へ電力を供給する。
ダイオード１０へ印加される電圧がツエナー電圧より低くなるので、ダイオード１０の発熱がなくなり、バイメタル２０の状態が常温状態へ戻り、Ｂ接点３０が通電状態へ戻る。
【００５７】
仮に、ダイオード１０が発熱してもバイメタル２０の状態が常温状態から高温状態に変化しない場合、Ｂ接点が通電しつつける。ダイオードが発熱し続けると、第一回路が溶断して、第一端子Ｔ１と第二端子Ｔ２とが非通電になり、電源から負荷への電力の供給を遮断する。
【００５８】
充電式電池９１は、バイメタル２０とＢ接点３０とを通じて、負荷回路９２へ電力を供給する。
負荷回路９２に異常が生じる等の現象により、過剰な電流が電圧判定部品にながれると、過剰な電流がバイメタル２０に流れて、バイメタル２０が発熱する。
過剰な電流が流れ続けると、バイメタル２０が常温状態から高温状態に変化して、Ｂ接点３０を非通電状態にする。
従って、充電式電池９１から負荷回路９２へ過剰な電流が流れる現象が生じた場合は、電圧判定部品が電力の供給を遮断できる。
【００５９】
図４は、本発明の第一の実施形態に係る電力遮断装置の第二のタイプの回路を模式的に示している。
第二のタイプの回路は、負荷回路９２が充電電池に電圧判定部品を介さずに直接に並列接続されている点の他は、同一である。
電源８０により充電式電池９１を充電する際は、Ｂ接点を通って充電式電池に流れるので、電圧判定部品の作用は第一のタイプの回路で説明した作用と同様である。
充電を終了して電源スイッチ８１をオフすると、充電式電池の電流は直接に負荷回路９２へ流れる。
充電式電池９１が電力を負荷回路９２に供給する際の電圧はダイオード１０のツェナー電圧よりも低いので、ダイオード１０に電流が流れることはない。ダイオード１０の発熱がなくなり、バイメタルディスク２０の状態が常温状態へ戻るので、Ｂ接点３０が通電状態へ戻る。
【００６０】
次に、本発明の第二の実施形態に係る電力遮断装置と電圧判定部品とを、図を基に、説明する。
図５は、本発明の第二の実施形態に係る電圧判定部品の側面断面図である。図６は、本発明の第二の実施形態に係る電圧判定部品の正面断面図である。図７は、本発明の第二の実施形態に係る電力遮断装置の回路図その１である。図８は、本発明の第二の実施形態に係る電力遮断装置の回路図その２である。
電圧判定部品は、電源の電圧が所定の値に達した時に電源から負荷への電力の供給を遮断する部品であって、ダイオード１０とバイメタル２０とＢ接点３０と第一回路４０とＡ接点５０と発熱体６０と第二回路（自己保持回路に相当する。）とケース７０で構成される。
ダイオード１０とバイメタル２０とＢ接点３０と第一回路４０とは、第一の実施形態の電圧判定部品のものと同じなので、説明を省略する。
【００６１】
第一端子Ｔ１とＢ接点３０と第一回路４０と第二端子Ｔ２とが直列接続される。
電源の＋端子を第一端子Ｔ１に導通し、負荷９０の＋端子を第二端子Ｔ２に導通すると、電源からＢ接点３０と第一回路４０とに通して負荷９０に電力を供給できる。
【００６２】
Ａ接点５０は、バイメタルが常温状態から高温状態に状態変化するのに連動して非通電状態から通電状態になる接点である。
Ａ接点５０は、１対のＡ接点電極５１、５２で構成される。
一方のＢ接点電極がバイメタルディスクの一方の面に設けられ、一方のＡ接点電極がバイメタルディスクの他方の面に設けられるのが好ましい。
他方のＡ接点電極５２はケース蓋７１の内側にモールドされたＡ接点電極板５３に設けられる。
この様にすると、バイメタルディスクの状態が常温状態であるときに、一方のＢ接点電極３１が他方のＢ接点電極３２に接して、Ｂ接点が通電状態になり、一方のＡ接点電極５１が他方のＡ接点電極５２から離れてＡ接点が非通電状態になる。また、バイメタルディスクの状態が高温状態であるときに、一方のＢ接点電極３１が他方のＢ接点電極３２から離れてＢ接点が非通電状態になり、一方のＡ接点電極５１が他方のＡ接点電極に接してＡ接点が通電状態になる。
【００６３】
発熱体６０は、電圧を印加されると発熱し、バイメタル２０に熱を伝える様になった電子素子である。発熱体６０は、絶縁体６１を間に介してバイメタルディスク２０の一端に重なる。
第四端子Ｔ４が発熱体６０の一方の端子に導通する。
突起状端子６２が発熱体６０の他方の端子に導通する。ケース蓋７１がケース本体７２に合体した状態で、突起状端子６２はＡ接点電極板５３に接触して発熱体６０の他方の端子が他方のＡ接点電極５２に導通する。
絶縁体６１が、発熱体６０とバイメタル２０との間に挟まれる。
発熱体６０は、定温度ヒータであるのが好ましい。特に定温度ヒータは、ＰＴＣサーミスタであるのが好ましい。ＰＴＣサーミスタは、ポリマー型であるのが好ましい。この様にすると、発熱体６０が容易に変形するので、発熱体６０と絶縁体６１とバイメタル２０の接触が良好になり、熱の伝達抵抗が小さくなる。
【００６４】
第二回路は、Ａ接点５０と発熱体６０とを直列接続する回路である。
第二回路は、電圧を印加されることができる。
この様にすると、バイメタル２０の状態が常温状態から高温状態に変化してＢ接点３０が非通電状態になったときに、Ａ接点が通電状態になって発熱体に通電され、発熱体が発熱し、その熱がバイメタル２０に伝わるので、バイメタル２０の高温状態を維持でき、Ｂ接点３０の非通電状態を保持できる。
ケース蓋７１とケース本体７２とが、発熱体６０と絶縁体６１とバイメタル２０の一端とダイオード１０と第一回路４０とを重ねて挟み込む。
ケース７０は、第一回路４０を包む空間７３を設けられるのが好ましい。特に空間７３は、ケース７０の外部へ開放されているのが好ましい。この様にすると、第一回路４０の熱が容易に外部へ放熱できる。
【００６５】
本発明の第二の実施形態に係る電力遮断装置とその作用を説明する。
図７は、第二の実施形態に係る電力遮断装置の第一のタイプの回路を模式的に示している。
ダイオード１０のツェナー電圧は、充電式電池９１の満充電時の＋側の電位に略等しい。バイメタルは、バイメタルディスクである。
電圧判定部品を用い、電圧をダイオード１０に逆方向に印加する様に、電源８０と負荷９０との間にＢ接点３０を直列接続する。
負荷９０は、充電式電池９１と負荷回路９２とで構成される。
電圧判定部品の第一端子Ｔ１に、電源８０の＋側と負荷回路９２の＋端子とを導通する。
電圧判定部品の第二端子Ｔ２に、充電式電池９１の＋端子を導通する。
電圧判定部品の第三端子Ｔ３と第四端子Ｔ４とに、電源８０の−端子と充電式電池９１の−端子と負荷回路９２の−端子とを導通する。
第二端子Ｔ２の電位は、電源８０の出力インピーダンスと充電式電池９１の入力インピーダンスの相対的関係で定まる値になる。
通例、充電式電池９１が未充電であるとき第二端子Ｔ２の電位は低く、充電式電池９１が満充電に近づくと第二端子Ｔ２の電位は上昇する。
【００６６】
バイメタルディスク２０の状態が常温状態になっており、Ｂ接点３０が通電状態であるので、第一端子Ｔ１と第二端子Ｔ２とが導通する。
電源６０のスイッチをオンにすると、電流が、第一端子Ｔ１を通り、バイメタルディスク２０とＢ接点３０とを通り、第二端子Ｔ２を通って、充電式電池９１へ流れる。
充電式電池９１が満充電状態でない場合には、ダイオード１０に逆方向に印加された電圧がツェナー電圧よりも低いので、電流がダイオード１０に流れず、ダイオード１０は発熱しない。
充電を継続すると充電式電池９１が満充電状態に近づく。
充電式電池９１が満充電状態になると、第二端子Ｔ２の電位がツェナー電圧の値に略等しくなる。
ダイオード１０に逆方向に印加された電圧がツェナー電圧に略等しいので、電流がダイオード１０に逆方向に流れて、ダイオード１０が発熱する。
ダイオード１０の熱がバイメタルディスク２０に伝達すると、バイメタルディスク２０の姿勢が常温状態から高温状態に変化する。
バイメタルディスク２０が高温状態になると、一方のＢ接点電極３１と他方のＢ接点電極３２とが離れ、Ｂ接点３０が非通電状態になる。
従って、第一端子Ｔ１と第二端子Ｔ２とが非通電状態になり、電源８０から充電式電池９１への電力の供給が遮断される。
Ｂ接点が非通電状態になると同時に、Ａ接点５０が通電状態になり発熱体６０へ通電され、発熱体が発熱し、その熱がバイメタル２０に伝わるので、バイメタル２０の高温状態が維持され、Ｂ接点の非通電状態が保持される。
電源スイッチ８１をオフすると、発熱体６０の発熱が停止して、バイメタルディスク２０の状態が常温状態へ戻るので、Ｂ接点３０が通電状態へ戻る。
【００６７】
充電中に電圧が所定の値になって、ダイオード１０が発熱してもバイメタル２０が高温状態にならない場合には、第一回路４０が溶断して、電力の供給を遮断する。
【００６８】
電源を外すと、充電式電池９１から電圧判定部品のバイメタル２０を経由して負荷回路９２へ電力を供給する。
負荷回路９２に異常が生じる等の現象により、過剰な電流が電力遮断回路にながれると、電流をバイメタルディスク２０自体へ流しているので、バイメタルディスクが発熱する。
過剰な電流が流れ続けると、バイメタルディスク２０が常温状態から高温状態に変化して、Ｂ接点３０を非通電状態にする。Ｂ接点３０が非通電状態になると上述した自己保持機能によりＢ接点３０の非通電状態を維持する。
従って、充電式電池９１から負荷回路９２へ過剰な電流が流れる現象が生じた場合は、電圧判定部品が電力の供給を連続的に遮断できる。
【００６９】
図８は、第二の実施形態に係る電力遮断装置の第二のタイプの回路を模式的に示している。
第二のタイプの回路は、負荷回路９２が充電式電池９１に電圧判定部品を介さずに直接に並列接続される他は、同一である。
主要な構造と作用は、第一の実施形態に係る電力遮断装置の第二のタイプの回路と同じなので、同じ点を省略して、異なる点のみを説明する。
充電式電池９１は、Ｂ接点３０を通じずに、直接に負荷回路９２へ電力を供給する。
【００７０】
上述の実施形態に係る電圧判定方法と電圧判定部品を用いれば、以下の効果を発揮する。
所定の値に略等しいツエナー電圧を備えたダイオードを準備し、ダイオードに逆方向に電圧を印加えて、ダイオードの発熱をバイメタルに伝え、バイメタルの姿勢変化に連動して開閉するＢ接点を設け、さらにダイオードの熱により溶断する第一回路を設けるので、Ｂ接点の開閉の様子と第一回路の導通の様子を確認していると、電圧が所定の値を越えているか否かを判定できる。
また、バイメタルの姿勢変化に連動して開閉するＡ接点を設け、Ａ接点により作動してバイメタルの姿勢を保持する自己保持回路を設けると、電圧が所定の値を越えてＢ接点が非通電状態になった際に、Ｂ接点の非通電状態を保持できる。
また、通電すると発熱する発熱体をバイメタルに接する様に設け、Ａ接点と発熱体とを直列接続するので、Ｂ接点が非通電状態になると、Ａ接点が通電して発熱体が発熱しバイメタルに熱を伝えるので、電圧が所定の値を越えてＢ接点が非通電状態になった際に、Ｂ接点の非通電状態を保持できる。
【００７１】
また、上述の実施形態に係る電力遮断方法と電力遮断装置を用いれば、以下の効果を発揮する。  
バイメタル２０の状態変化に連動して通電状態から非通電状態になるＢ接点３０を設けたので、Ｂ接点３０を充電式電池９１と電源８０の間に直列接続すると、電圧が所定の値に達するとダイオード１０に逆方向に電流が流れて発熱し、バイメタル２０の状態が変化してＢ接点３０が通電状態から非通電状態が変化する現象を利用して、電源８０から充電式電池９１への電力の供給を遮断できる。
また、所定の値を充電式電池９１が満充電する際の電圧としたので、充電式電池９１が満充電状態になったことを簡易な構造で正確に検知して、充電を終了させるとこができる。
また、充電が終了したあとで、充電式電池９１の電力をＢ接点３０を介して負荷回路９２へ供給する様にしたので、負荷回路９２が異常をおこして過剰な電流が流れたときに、電力の供給を遮断できる。
また、ダイオード１０から発生する熱を受け所定の値以上の温度になると溶断する導電性素材を１対の端子に架橋した第一回路４０を準備し、電源８０と負荷９０との間にＢ接点３０と第一回路４０とを直列接続する様にしたので、ダイオード１０が異常加熱したときに第一回路４０が溶断して、電源８０の供給を遮断できる。
また、バイメタル２０が常温状態から高温状態に状態変化するのに連動して非通電状態から通電状態になるＡ接点５０を準備し、接点５０と発熱体６０と直列接続した第二回路に電圧を印加するので、Ｂ接点３０が非通電状態になった時にその非通電状態を保持できる。
【００７２】
本発明は以上に述べた実施形態に限られるものではなく、発明の要旨を逸脱しない範囲で各種の変更が可能である。
電圧判定部品を用いた電力遮断装置の構造と作用を基に説明したが、これに限定されない。
電圧判定部品の構造を詳細に説明したが、これに限定されず、例えは、同一の機能を発揮するのであれば、ダイオード、バイメタル、Ｂ接点、Ａ接点、発熱体、または第一回路の配置は自由である。
バイメタルにＢ接点の一方の電極を設け、バイメタルに通電する形式で説明したがこれに限定されず、例えば、別個の可動アームにＢ接点の一方の電極を設けて、可動アームをバイメタルで揺動させて、可動アームに通電してもよい。
自己保持回路をＡ接点と発熱体とを直列接続した第二回路であるとして説明したがこれに限定されず、例えば、Ａ接点により駆動される電磁石によりバイメタルの高温状態を保持する構造としてもよい。
【図面の簡単な説明】
【００７３】
【図１】本発明の第一の実施形態に係る電圧判定部品の側面断面図である。
【図２】本発明の第一の実施形態に係る電圧判定部品の正面断面図である。
【図３】本発明の第一の実施形態に係る電力遮断装置の回路図その１である。
【図４】本発明の第一の実施形態に係る電力遮断装置の回路図その２である。
【図５】本発明の第二の実施形態に係る電圧判定部品の側面断面図である。
【図６】本発明の第二の実施形態に係る電圧判定部品の正面断面図である。
【図７】本発明の第二の実施形態に係る電力遮断装置の回路図その１である。
【図８】本発明の第二の実施形態に係る電力遮断装置の回路図その２である。
【図９】ダイオードの電流ー電圧特性グラフである。
【図１０】バイメタルディスクの特性図である。
【符号の説明】
【００７４】
Ｔ１    第一端子
Ｔ２    第二端子
Ｔ３    第三端子
Ｔ４    第四端子
１０    ダイオード
２０    バイメタル
２１    平面部
２２    球面部
３０    Ｂ接点
３１    一方のＢ接点電極
３２    他方のＢ接点電極
３３    Ｂ接点電極板
４０    第一回路
５０    Ａ接点
５１    一方のＡ接点電極
５２    他方のＡ接点電極
５３    Ａ接点電極板
６０    発熱体
６１    絶縁体
６２    突起状端子
７０    ケース
７１    ケース蓋
７２    ケース本体
７３    空間
７４    ストッパ
８０    電源
８１    電源スイッチ
９０    負荷
９１    充電式電池
９２    負荷回路
【図１】
2006004682.tif 000003
【図２】
2006004682.tif 000004
【図３】
2006004682.tif 000005
【図４】
2006004682.tif 000006
【図５】
2006004682.tif 000007
【図６】
2006004682.tif 000008
【図７】
2006004682.tif 000009
【図８】
2006004682.tif 000010
【図９】
2006004682.tif 000011
【図１０】
2006004682.tif 000012